(57)【要約】【課題】光ダクトが結合される浴室ユニットであって、機能部材のメンテナンス性が優れた浴室ユニットを提供する。【解決手段】屋外から光を導入する光ダクトが結合される浴室ユニット１において、天井４に設けられた点検口８と、点検口８に対して着脱可能に設けられた点検口蓋９と、点検口蓋９に設けられた放光口１１と、光ダクトを放光口１１に光学的に結合する蛇腹管１６とを設ける。蛇腹管１６は、下端部１６ａが放光口１１に連結され、上端部１６ｂが光ダクトの先端部１０１に連結され、内面が光反射面となっている。また、下端部１６ａは垂直方向に移動可能である。更に、浴室ユニット１には、下端部１６ａをその移動域における上位置に固定する係留リング１７及び係留フックを設ける。【選択図】図１
2008082076.tif 000002
【特許請求の範囲】
【請求項１】
屋外から光を導入する光ダクトが結合される浴室ユニットであって、
前記浴室ユニットの天井に設けられた点検口と、
前記点検口に対して着脱可能に設けられた点検口蓋と、
前記点検口蓋に設けられた放光口と、
前記放光口と前記光ダクトの先端部との間に連結され、その前記放光口側の端部が垂直方向に移動可能な導光部材と、
前記導光部材の放光口側の端部をその移動域における下端以外の位置に固定する固定手段と、
を備えたことを特徴とする浴室ユニット。
【請求項２】
前記導光部材は、その中心軸が水平面に交差する方向に延び、前記中心軸が伸びる方向に伸縮可能な管状部材を有することを特徴とする請求項１記載の浴室ユニット。
【請求項３】
前記管状部材は、蛇腹管であることを特徴とする請求項２記載の浴室ユニット。
【請求項４】
前記導光部材は、その中心軸が水平面に交差する方向に延び、前記光ダクトの先端部に対してスライド可能な管状部材を有することを特徴とする請求項１記載の浴室ユニット。
【請求項５】
屋外から光を導入する光ダクトが結合される浴室ユニットであって、
前記浴室ユニットの天井に設けられた点検口と、
前記点検口に対して着脱可能に設けられた点検口蓋と、
前記点検口蓋に設けられた放光口と、
前記放光口と前記光ダクトの先端部との間に連結された導光部材と、
を備え、
前記導光部材は、前記放光口を介した操作により、前記光ダクトの先端部に対して着脱可能であることを特徴とする浴室ユニット。
【請求項６】
前記導光部材は、その内面が光反射面とされた管状部材を有することを特徴とする請求項５記載の浴室ユニット。
【請求項７】
前記管状部材の内面は光反射面であることを特徴とする請求項２、３、４及び６のいずれか１つに記載の浴室ユニット。
【請求項８】
前記導光部材は、その前記光ダクト側の端部に設けられ、可塑性材料からなり、前記光ダクトの先端部を覆う結合部材を有することを特徴とする請求項１〜７のいずれか１つに記載の浴室ユニット。
【請求項９】
前記光ダクトの先端部の中心軸は垂直方向に延びており、
前前記放光口は、前記光ダクトの先端部の直下域に配置されていることを特徴とする請求項１〜８のいずれか１つに記載の浴室ユニット。
【請求項１０】
前記放光口は、２枚の透光板により封止された気密空間を有することを特徴とする請求項１〜９のいずれか１つに記載の浴室ユニット。
【発明の詳細な説明】
【技術分野】
【０００１】
本発明は、浴室ユニットに関し、特に、屋外から光を導入する光ダクトが結合される浴室ユニットに関する。
【背景技術】
【０００２】
近年、住宅等の建築物に光ダクトを設ける技術が開発されている。光ダクトとは、建築物の屋外から屋内まで連通し、その内面が光反射面となった筒状の部材であり、屋外の自然光を屋内に導入するものである。建築物にこのような光ダクトを設けることにより、日中の豊富な自然光を室内の照明に利用することができるため、照明コストを節約し、省エネルギー効果及び環境負荷軽減効果を得ることができる。また、室内に自然光を導入することにより、室内の居住性を向上させることができる。
【０００３】
特許文献１には、浴室ユニットに連通された排気ダクトの内部に光ダクトを設けることにより、浴室ユニットに光ダクトを結合する技術が開示されている。しかしながら、この技術においては、排気ダクトの内部に光ダクトを収納するため、排気ダクトを特別に設計しなくてはならず、コストが増大する。また、排気ダクトに付随する設備、例えば、排気フィン等も特別に設計しなくてはならず、コストが増大する。更に、排気ダクトが大口径になってしまい、天井裏における取り回し、及び建築物の外壁における排気口の設置位置が制約される。
【０００４】
一方、光ダクトを排気ダクトとは別に配設する場合は、浴室ユニットの天井に、排気口とは別に放光口を設けることになる。しかしながら、浴室ユニット上には排気フィン等の機能部材が多数配置されているため、浴室ユニットの天井に放光口を設けることにより、これらの機能部材のメンテナンス性が低下してしまう。
【０００５】
【特許文献１】実開昭６０−０３３２４０号公報
【発明の開示】
【発明が解決しようとする課題】
【０００６】
本発明の目的は、光ダクトが結合される浴室ユニットであって、機能部材のメンテナンス性が優れた浴室ユニットを提供することである。
【課題を解決するための手段】
【０００７】
本発明の一態様によれば、屋外から光を導入する光ダクトが結合される浴室ユニットであって、前記浴室ユニットの天井に設けられた点検口と、前記点検口に対して着脱可能に設けられた点検口蓋と、前記点検口蓋に設けられた放光口と、前記放光口と前記光ダクトの先端部との間に連結され、その前記放光口側の端部が垂直方向に移動可能な導光部材と、前記導光部材の放光口側の端部をその移動域における下端以外の位置に固定する固定手段と、を備えたことを特徴とする浴室ユニットが提供される。
【０００８】
本発明の他の一態様によれば、屋外から光を導入する光ダクトが結合される浴室ユニットであって、前記浴室ユニットの天井に設けられた点検口と、前記点検口に対して着脱可能に設けられた点検口蓋と、前記点検口蓋に設けられた放光口と、前記放光口と前記光ダクトの先端部との間に連結された導光部材と、を備え、前記導光部材は、前記放光口を介した操作により、前記光ダクトの先端部に対して着脱可能であることを特徴とする浴室ユニットが提供される。
【発明の効果】
【０００９】
本発明によれば、光ダクトが結合され、機能部材のメンテナンス性が優れた浴室ユニットを実現することができる。
【発明を実施するための最良の形態】
【００１０】
以下、図面を参照しつつ本発明の実施形態について説明する。  
先ず、本発明の第１の実施形態について説明する。  
図１は、本実施形態に係る浴室ユニットを例示する模式的断面図であり、  
図２は、この浴室ユニットの点検口付近を例示する下面図であり、  
図３は、この浴室ユニットにおける点検口蓋とブラケットとの連結部付近を例示する断面図である。
【００１１】
図１に示すように、本実施形態に係る浴室ユニット１においては、床の一方の側に浴槽２が設けられており、他方の側が洗い場３となっている。また、天井４における浴槽２側の部分には、排気口５が設けられており、排気口５の直上には排気フィン６が設けられており、排気フィン６上には排気管７が設けられている。排気口５は排気フィン６を介して排気管７に連通されている。更に、天井４における洗い場３側の部分には、点検口８が設けられている。点検口８は、浴室ユニット１上に配置された排気フィン６などの機能部材を点検する際に利用するものである。点検口８のサイズは、点検作業者が上半身を乗り出せるサイズであればよく、例えば、横が４５０ミリメートル、縦が４５０ミリメートルの正方形である。更にまた、点検口８には点検口蓋９が、点検口８に対して着脱可能に設けられている。点検口蓋９は、通常使用時には点検口８に嵌合されて点検口８を塞ぎ、点検時には点検口８から外されて点検口８を開口させるパネル状の部材である。
【００１２】
点検口８の端縁においては、その下面側部分が上面側部分よりも点検口８の内部に向けて突出しており、従って、点検口８の端縁には、下面側が凸となった段差８ａが形成されている。一方、点検口蓋９の上面側部分は下面側部分よりもやや大きく、点検口蓋９の表面に垂直な方向から見て、上面側部分の外縁は下面側部分の外縁よりも外側にあり、従って、点検口蓋９の側面には、上面側が凸となった段差９ａが形成されている。そして、点検口蓋９を点検口８に装着したときに、点検口蓋９の段差９ａが点検口８の段差８ａに係合し、点検口蓋９が点検口８の内部に保持されるようになっている。また、段差８ａにおける段差９ａと接触する部分には、環状のパッキン１０（図３参照）が嵌め込まれている。
【００１３】
そして、図１及び図２に示すように、点検口蓋９には、放光口１１が設けられている。点検口蓋９における放光口１１に相当する領域、例えば中央領域には、開口部１２が形成されている。そして、放光口１１における点検口蓋９の下面側にはブラケット１３が取り付けられている。ブラケット１３は、光を拡散させながら透過させる透光材料、例えば乳白色の樹脂材料からなり、下方に凸になるように配置されたドーム状の部分を持つ部材である。また、放光口１１における点検口蓋９の上面側には、円筒形の接続用端部管１４が取り付けられている。接続用端部管１４は遮光体からなり、その内部は中空であり、その内面は例えば白色となっている。なお、接続用端部管１４の内面は光反射面となっていてもよい。
【００１４】
図３に示すように、ブラケット１３においては、略半球状のドーム状部分１３ａと、ドーム状部分１３ａの外縁部から中心に向かって延出した円環板状部分１３ｂと、円環板状部分１３ｂの内縁部からドーム状部分１３ａに対して離隔する方向に起立した円筒状部分１３ｃと、が一体的に成形されている。ドーム状部分１３ａは、天井４から下方に突出している。また、円筒状部分１３ｃの外面には、ネジ溝１３ｄが形成されている。一方、点検口蓋９における開口部１２の内面の下部には、ネジ溝１３ｄに螺合するようなネジ溝９ｄが形成されている。また、ブラケット１３の上端部には、環状のパッキン１５が設けられている。ブラケット１３は、ネジ溝１３ｄが点検口蓋９のネジ溝９ｄに螺合することにより、パッキン１５と共に点検口蓋９に固定される。
【００１５】
一方、この浴室ユニット１が設置された建築物には光ダクトが配設されており、この光ダクトの先端部１０１は、浴室ユニット１の上方に配置されている。光ダクトの他端は建築物の外壁において開口しており、光ダクトの内部は中空であり、その内面は光反射面とされている。これにより、光ダクトは、建築物の外部から導入された自然光を、その内面において反射させつつ先端部１０１まで導光させることができる。また、例えば、光ダクトの先端部１０１は浴室ユニット１の放光口１１の直上域に配置されており、先端部１０１の中心軸は垂直方向に延びており、開口部１２の中心軸と略一致している。そして、先端部１０１の下端は下方に向けて開口している。  
なお、本明細書において、「光ダクトの先端部」とは、光ダクトにおける浴室ユニット側の端部であって、その中心軸が１本の直線をなす部分をいう。例えば、光ダクトが何カ所かの屈曲部を有する場合は、浴室ユニット側の開口端とこの開口端に最も近い屈曲部との間の直管部分をいう。
【００１６】
そして、この光ダクトの先端部１０１と接続用端部管１４との間に、蛇腹管１６が連結されている。すなわち、蛇腹管１６の下端部１６ａは放光口１１の接続用端部管１４に連結されており、上端部１６ｂは光ダクトの先端部１０１に連結されており、接続用端部管１４の内部、蛇腹管１６の内部及び光ダクトの内部は、相互に連通されている。光ダクトの先端部１０１と蛇腹管１６の上端部１６ｂとの接続部、及び蛇腹管１６の下端部１６ａと接続用端部管１４との接続部は、インシュロック、アルミニウム製テープ又はホースバンドなどの接続材（図示せず）によって固定されている。また、蛇腹管１６の内面は例えば光反射面となっている。これにより、蛇腹管１６は、光ダクトと放光口１１とを光学的に結合する導光部材として機能する。
【００１７】
蛇腹管１６は、樹脂製シート又は布などの遮光性の可塑性シートからなり、山折り部と谷折り部とが繰り返し配置されて構成されている。これにより、蛇腹管１６は、その管軸方向に伸縮自在である。また、蛇腹管１６の管軸方向は、光ダクトの先端部１０１の軸方向と略一致している。このため、蛇腹管１６は、光ダクトの先端部１０１の軸方向に伸縮可能である。本実施形態においては、光ダクトの先端部１０１の位置は固定されているため、蛇腹管１６の光ダクト側の端部である上端部１６ｂの位置は固定されるが、蛇腹管１６の放光口１１側の端部である下端部１６ａは、光ダクトの先端部１０１の軸方向、例えば、垂直方向に移動可能である。なお、蛇腹管１６の山折り部には補強リングが設けられていてもよい。
【００１８】
一方、浴室ユニット１においては、例えば２個の係留リング１７が設けられており、蛇腹管１６の上端部１６ｂの外面に取り付けられている。また、この係留リング１７と係合する係留フック１８（図４参照）が設けられており、蛇腹管１６の下端部１６ａに取り付けられている。係留フック１８は、蛇腹管１６が圧縮状態にあるときに、係留リング１７に係合可能となる。係留リング１７及び係留フック１８により、点検口蓋９をその移動域の上端付近の位置に固定する固定手段を構成している。なお、図１においては、図を見易くするために、係留フック１８を図示していない。
【００１９】
次に、本実施形態に係る浴室ユニットの動作について説明する。  
図４は、本実施形態に係る浴室ユニットを例示する模式的断面図であり、点検時の動作を示す。
【００２０】
先ず、浴室ユニット１の通常使用時の動作について説明する。  
図１に示すように、浴室ユニット１の通常使用時においては、点検口蓋９は点検口８に装着されている。そして、放光口１１の接続用端部管１４と光ダクトの先端部１０１とは蛇腹管１６により連結されている。このとき、蛇腹管１６は伸びた状態にある。蛇腹管１６の内面は光反射面であるため、光ダクトと放光口１１とは蛇腹管１６を介して光学的に結合されている。これにより、建築物の外部から導入され、光ダクト内を先端部１０１まで導光された自然光は、蛇腹管１６を介して放光口１１に供給される。そして、この自然光は、ブラケット１３のドーム状部分１３ａを透過することにより拡散され、浴室ユニット１内に放射状に散光される。一方、排気フィン６が駆動することにより、排気口５及び排気管７を介して、浴室ユニット１内の空気が建築物の外部に排気される。
【００２１】
次に、浴室ユニット１の点検時の動作について説明する。  
図４に示すように、浴室ユニット１の天井４上に配設された機能部材、例えば排気フィン６などを点検する際には、点検口蓋９を上方に持ち上げることにより点検口８から取り外し、点検口蓋９を更に上方に持ち上げることにより、蛇腹管１６をその管軸方向、すなわち、垂直方向に圧縮する。そして、蛇腹管１６を圧縮した状態で、係留フック１８を係留リング１７に係合させる。これにより、点検口蓋９がその移動域の上端付近の位置（上位置）で固定される。このようにして、点検口８を開口し、この点検口８を介して、作業者（図示せず）が点検作業を行うことができる。点検口蓋９の移動距離、すなわち、点検口蓋９を上位置に固定したときの点検口蓋９と点検口８との間の距離は、点検口蓋９が点検作業の妨げにならないように、４５０ミリメートル以上とすることが好ましい。
【００２２】
次に、本実施形態の効果について説明する。  
本実施形態においては、放光口１１を点検口８の点検口蓋９に設けているため、浴室ユニット１の天井４に、点検口８とは別に放光口を設ける必要がない。このため、放光口１１を設けても、天井４上のスペースが圧迫されず、機能部材の配置自由度を低下させることがないと共に、機能部材のメンテナンス性が低下することがない。また、浴室ユニット１内から見た天井４の外観がすっきりする。更に、本実施形態に係る浴室ユニット１は、既存の浴室ユニットに対して、蛇腹管１６を設けると共に、点検口蓋９の設計を変えれば実現することができ、蛇腹管１６及び点検口蓋９以外の部分については、既存の部品をそのまま使うことができるため、放光口を設けることによるコストの増加を抑えることができる。更にまた、蛇腹管１６は点検口蓋９に常時連結しておくことができ、点検口蓋９を点検口８に対して着脱する際に、いちいち蛇腹管１６を点検口蓋９に対して着脱する必要がないため、浴室ユニット１のメンテナンス性が高い。更にまた、日中のメンテナンス時に、放光口１１より放光される自然光により、浴室ユニット１の天井４の裏面を明るく照明することができるため、浴室ユニット１のメンテナンス性が高い。
【００２３】
更にまた、本実施形態においては、浴室ユニット１の点検時には、蛇腹管１６に連結された点検口蓋９を点検口８の上方に固定することができる。この結果、蛇腹管１６の存在により作業が妨げられることがなく、メンテナンス性が高い。これに対して、放光口を天井４に固定的に設けた場合には、点検作業中もこの放光口に結合される管状部材が天井４に連結された状態となるため、この導光部材が点検作業の妨げになる。
【００２４】
更にまた、放光口１１には、ドーム状部分１３ａを有するブラケット１３が設けられているため、放光口１１に導入された自然光を、浴室ユニット１内に均一に散光することができる。更にまた、放光口１１が洗い場３側に設けられているため、浴槽２よりも多くの光量を必要とする洗い場３を効率よく照明することができる。更にまた、ブラケット１３にはパッキン１５が設けられているため、浴室ユニット１内の蒸気が光ダクト内に侵入して、光ダクトの内面を曇らせたり、腐食させたりすることを防止できる。更にまた、ブラケット１３は点検口蓋９に対して螺合されているため、必要に応じてブラケット１３を点検口蓋９から着脱することができる。これにより、ブラケットの清掃及び交換などが容易になる。更にまた、点検口８の段差８ａにはパッキン１０が設けられているため、点検口蓋９の気密性が高く、浴室ユニット１内の蒸気が浴室ユニット１上の空間に侵入することを抑制できる。これにより、カビなどを発生を防止することができる。
【００２５】
次に、本実施形態の第１の変形例について説明する。  
図５は、本変形例に係る浴室ユニットの導光部材及びその周辺を例示する模式的断面図である。  
図５に示すように、本変形例は、前述の第１の実施形態と比較して、蛇腹管１６の上端部１６ｂに結合部材２１が取り付けられている点が異なっている。結合部材２１は可塑性材料からなり、その内面が光反射面となっている。例えば、結合部材２１は、内面を反射体加工したＰＥＴ（poly-ethylene terephthalate：ポリエチレンテレフタレート）からなるシート材により形成されている。結合部材２１は、蛇腹管１６の上端部１６ｂに連結され、光ダクトの先端部１０１の下部を外側から覆っている。結合部材２１における先端部１０１を覆う部分は、インシュロック、アルミニウム製テープ又はホースバンドなどの接続材（図示せず）によって緊縛され、固定されている。本変形例における上記以外の構成は、前述の第１の実施形態と同様である。
【００２６】
本変形例においては、蛇腹管１６の上端部１６ｂに結合部材２１を設けることにより、光ダクトの先端部１０１の直径と蛇腹管１６の上端部１６ｂの直径とが異なる場合においても、また、先端部１０１の形状と上端部１６ｂの形状とが異なる場合においても、光ダクトと蛇腹管１６との間に、光の損失がほとんどない導光路を形成することができる。例えば、光ダクトの先端部１０１の形状が矩形であり、蛇腹管１６の上端部１６ｂの形状が円形である場合にも、先端部１０１と上端部１６ｂとの間を、外部に対しては遮光性を有し、内面は光反射性を有する導光路でつなぐことができる。これにより、光ダクトの先端部１０１の形状及び直径に合わせて、蛇腹管１６を個別に設計する必要がなくなり、同じ規格の蛇腹管を使用することができる。この結果、浴室ユニットのコストを低減することができる。本変形例における上記以外の動作及び効果は、前述の第１の実施形態と同様である。
【００２７】
次に、本実施形態の第２の変形例について説明する。  
図６は、本変形例に係る浴室ユニットの放光口を例示する模式的断面図である。  
図６に示すように、本変形例においては、放光口１１における開口部１２の内部に、開口部１２を塞ぐように、２枚の透光板２６及び２７が設けられている。透光板２６及び２７は例えば透明樹脂により形成されている。これにより、開口部１２の内部における透光板２６と透光板２７との間の空間が気密空間２８となっている。本変形例における上記以外の構成は、前述の第１の実施形態と同様である。
【００２８】
本変形例においては、気密空間２８内に空気が封止され、断熱層として機能する。これにより、浴室ユニットの断熱性を向上させることができる。なお、透光板２６及び２７は光を透過させるため、気密空間２８を形成することにより、光ダクトから浴室ユニット内への導光が妨げられることはない。本変形例における上記以外の動作及び効果は、前述の第１の実施形態と同様である。
【００２９】
次に、本発明の第２の実施形態について説明する。  
図７は、本実施形態に係る浴室ユニットを例示する模式的断面図である。  
なお、図７において、図１に示す構成要素と同じ構成要素には同じ符号を付し、その詳細な説明を省略する。
【００３０】
図７に示すように、本実施形態に係る浴室ユニット３１においては、前述の第１の実施形態における接続用端部管１４（図１参照）及び蛇腹管１６（図１参照）の替わりに、スライド筒体３２が設けられている。スライド筒体３２は、その中心軸が垂直方向に延び、その内部が中空であり、その内面が光反射面となった筒体であり、その上下端は開口されている。また、スライド筒体３２の上端部の内面上には、光ダクトの先端部１０１の外面に対して摺動しつつ、先端部１０１との間の接続部をシールする弾性シール部材３３が設けられている。
【００３１】
スライド筒体３２の中心軸は光ダクトの先端部１０１の中心軸と一致しており、スライド筒体３２は、その内部に先端部１０１を嵌合しつつ、先端部１０１に対してスライド可能とされている。すなわち、スライド筒体３２は、先端部１０１の軸方向に移動可能となっている。また、スライド筒体３２の下端は点検口蓋９に連結されている。これにより、先端部１０１の内部、スライド筒体３２の内部、及び点検口蓋９の開口部１２の内部は、相互に連通されている。
【００３２】
また、係留リング１７は、光ダクトの先端部１０１の外面であって、スライド筒体３２がその移動域の上端に位置していてもスライド筒体３２の内部に収納されないような位置に取り付けられている。また、係留フック１８（図８参照）は、スライド筒体３２の上端部付近に取り付けられている。本実施形態における上記以外の構成は、前述の第１の実施形態と同様である。
【００３３】
次に、本実施形態に係る浴室ユニットの動作について説明する。  
図８は、本実施形態に係る浴室ユニットを例示する模式的断面図であり、点検時の動作を示す。
【００３４】
先ず、浴室ユニット３１の通常使用時の動作について説明する。  
図７に示すように、浴室ユニット３１の通常使用時においては、点検口蓋９は点検口８に装着されている。このとき、スライド筒体３２はその移動域における下端位置にある。そして、光ダクトと放光口１１とはスライド筒体３２を介して光学的に結合されている。これにより、建築物の外部から導入され、光ダクト内を先端部１０１まで導光された自然光は、スライド筒体３２を介して放光口１１に供給される。そして、この自然光は、ブラケット１３のドーム状部分を透過することにより拡散され、浴室ユニット３１内に放射状に散光される。
【００３５】
次に、浴室ユニット３１の点検時の動作について説明する。  
図８に示すように、浴室ユニット３１の天井４上に配設された機能部材を点検する際には、点検口蓋９を上方に持ち上げることにより点検口８から取り外し、点検口蓋９を更に上方に持ち上げることにより、スライド筒体３２を光ダクトの先端部１０１に対してスライドさせ、先端部１０１を収納しつつ上昇させる。そして、スライド筒体３２がその移動域の上位置に達したときに、係留フック１８を係留リング１７に係合させる。これにより、点検口蓋９が上位置で固定される。このようにして、点検口８を開口し、この点検口８を介して、作業者（図示せず）が点検作業を行うことができる。なお、前述の第１の実施形態と同様に、点検口蓋９の移動距離は、点検口蓋９が点検作業の妨げにならないように、４５０ミリメートル以上とすることが好ましい。本実施形態における上記以外の動作は、第１の実施形態と同様である。
【００３６】
本実施形態によれば、点検時には点検口蓋９を点検口８の上方に固定しておくことができるため、点検口８を開口させると共に、点検口蓋９を点検作業の妨げにならない位置に退避させることができる。このため、点検作業が容易であり、メンテナンス性が高い。また、光ダクトの先端部１０１、スライド筒体３２及び点検口蓋９を相互に連結したまま、点検口蓋９を開閉することができるため、点検口蓋９の開閉が容易であり、メンテナンス性が高い。更に、弾性シール部材３３により、放光口１１内への虫や小動物、ほこり、水分などの侵入を防止できるため、放光口１１からの放光量の低下を防止することができる。本実施形態における上記以外の効果は、前述の第１の実施形態と同様である。
【００３７】
なお、本実施形態においても、前述の第１の実施形態の第２の変形例（図６参照）と同様に、点検口蓋９の開口部１２内に２枚の透光板２６及び２７を設けて気密空間２８を形成してもよい。これにより、浴室ユニット３１の断熱性を高めることができる。
【００３８】
次に、本実施形態の変形例について説明する。  
図９（ａ）及び（ｂ）は、本変形例に係る浴室ユニットの動作を例示する模式的断面図であり、（ａ）は通常使用時の動作を示し、（ｂ）は点検時の動作を示す。  
図９（ａ）に示すように、本変形例においては、スライド筒体が多段に設けられている。例えば、図９（ａ）に示す例では、５個の筒体３６ａ〜３６ｅにより、５段構成のスライド筒体３６が構成されている。筒体３６ａ〜３６ｅは、その直径が相互に少しずつ異なっており、相互にスライド可能とされている。浴室ユニットの通常使用時には、点検口蓋９は点検口８に装着されており、スライド筒体３６は伸びきった状態にある。
【００３９】
一方、図９（ｂ）に示すように、浴室ユニットの点検時には、スライド筒体３６は縮んだ状態にあり、点検口蓋９は、点検口８の上方で固定されている。このとき、筒体３６ｅは筒体３６ｄの内部に収納され、筒体３６ｄは筒体３６ｃの内部に収納され、筒体３６ｃは筒体３６ｂの内部に収納され、筒体３６ｂは筒体３６ａの内部に収納されている。
【００４０】
本具体例によれば、スライド筒体を多段とすることにより、圧縮時の長さをより短くすることができる。これにより、点検口蓋９をより高い位置に固定することができ、より高い作業スペースを確保することができる。本具体例における上記以外の構成、動作及び効果は、前述の第２の実施形態と同様である。
【００４１】
次に、本発明の第３の実施形態について説明する。  
図１０は、本実施形態に係る浴室ユニットを例示する模式的断面図であり、  
図１１は、この浴室ユニットにおける光ダクトと接続補助筒体との連結部分を例示する側面図である。  
なお、図１０において、図１に示す構成要素と同じ構成要素には同じ符号を付し、その詳細な説明を省略する。
【００４２】
図１０に示すように、本実施形態に係る浴室ユニット４１においては、前述の第２の実施形態におけるスライド筒体３２（図７及び図８参照）の替わりに、接続補助筒体４２が設けられている。接続補助筒体４２は、その中心軸が垂直方向に延び、その内部が中空であり、その内面が光反射面となった筒体であり、その上下端は開口されている。接続補助筒体４２の中心軸は光ダクトの先端部１０１の中心軸と一致している。そして、先端部１０１の下端部には、接続補助筒体４２が係合するネジ４３が取り付けられている。
【００４３】
また、接続補助筒体４２の外径は点検口蓋９の開口部１２の内径よりも小さく、接続補助筒体４２は開口部１２の直上域に配置されている。接続補助筒体４２は、点検口蓋９に対して機械的には連結されていないが、放光口１１の直上域に配置されており、点検口蓋９に接触しているか、又は微小な隙間を介して近接しているため、放光口１１とは光学的に結合されている。これにより、接続補助筒体４２が光ダクトの先端部１０１に連結されているときには、先端部１０１、接続補助筒体４２及び放光口１１は、光学的に連続した導光路を形成している。点検口８と先端部１０１との間の距離は、例えば４５０ミリメートル以上である。なお、浴室ユニット４１には、係留リング１７（図８参照）及び係留フック１８（図８参照）は設けられていない。
【００４４】
更に、図１１に示すように、接続補助筒体４２の上端縁には、Ｊ字形の切込４２ａが形成されており、接続補助筒体４２の上端部のうち、切込４２ａによって三方を囲まれる部分が、延出部４２ｂとなっている。そして、この切込４２ａ及び延出部４２ｂにより、接続補助筒体４２の上端部が、光ダクトの先端部１０１の下端部に取り付けられたネジ４３に対して係合可能となっている。すなわち、延出部４２ｂがネジ４３に引っ掛かることにより、接続補助筒体４２が先端部１０１にぶら下がり、先端部１０１に連結される。また、この係合を解くことにより、接続補助筒体４２を先端部１０１から取り外すことができる。本実施形態における上記以外の構成は、前述の第１の実施形態と同様である。
【００４５】
次に、本実施形態に係る浴室ユニットの動作について説明する。  
図１２は、本実施形態に係る浴室ユニットを例示する模式的断面図であり、点検時の動作を示す。
【００４６】
先ず、浴室ユニット４１の通常使用時の動作について説明する。  
図１０に示すように、浴室ユニット４１の通常使用時においては、点検口蓋９は点検口８に装着されている。このとき、図１１に示すように、接続補助筒体４２の延出部４２ｂがネジ４３に係合しており、接続補助筒体４２は光ダクトの先端部１０１に連結されている。これにより、光ダクトの先端部１０１と放光口１１とは接続補助筒体４２を介して光学的に結合されている。この結果、建築物の外部から導入され、光ダクト内を先端部１０１まで導光された自然光は、接続補助筒体４２を介して放光口１１に供給され、ブラケット１３を透過することにより拡散されて、浴室ユニット４１内に散光される。
【００４７】
次に、浴室ユニット４１の点検時の動作について説明する。  
図１２に示すように、浴室ユニット４１の天井４上に配設された機能部材を点検する際には、先ず、ブラケット１３を回転させることにより、点検口蓋９からブラケット１３を取り外す。これにより、点検口蓋９の開口部１２が浴室内と連通する。
【００４８】
次に、接続補助筒体４２を少し持ち上げ、そのまま水平方向に回転させて、その後、引き下ろすことにより、ネジ４３に切込４２ａ内を通過させ、延出部４２ｂとネジ４３との係合を解く。これにより、接続補助筒体４２を光ダクトの先端部１０１から取り外す。次に、点検口蓋９を点検口８から取り外す。このようにして、点検口８を開口すると共に、点検口８と先端部１０１との間に、作業スペースを確保することができる。なお、取り外したブラケット１３、接続補助筒体４２及び点検口蓋９は、天井４上に仮置きしてもよいが、作業の邪魔になるようであれば、開口部１２を介して浴室内に入れ、浴室内に置いてもよい。また、点検口８と先端部１０１との間の距離が４５０ミリメートル以上であると、作業性がより良好となる。
【００４９】
そして、点検作業が終了した後は、上述の手順を逆に実行することにより、点検口８を閉じることができる。すなわち、点検口８に点検口蓋９を装着し、接続補助筒体４２の延出部４２ｂをネジ４３に係合させることにより接続補助筒体４２を光ダクトの先端部１０１に取り付け、ブラケット１３を点検口蓋９に装着する。本実施形態における上記以外の動作は、第１の実施形態と同様である。
【００５０】
本実施形態によれば、点検口蓋９を点検口８に装着しているときは、点検口蓋９に形成された放光口１１の直上域に接続補助筒体４２を配置することにより、光ダクトに導入された自然光を浴室ユニット４１内に供給することができる。一方、点検時には、浴室ユニット内からの操作により、ブラケット１３、接続補助筒体４２及び点検口蓋９を順次取り外すことができ、点検口８を開口すると共に、ブラケット１３、点検口蓋９及び接続補助筒体４２を点検作業の妨げにならない位置に退避させて、作業スペースを確保することができる。このため、本実施形態に係る浴室ユニットは、メンテナンス性が高い。本実施形態における上記以外の効果は、前述の第１の実施形態と同様である。
【００５１】
なお、本実施形態においても、前述の第１の実施形態の第１の変形例（図５参照）と同様に、光ダクトの先端部１０１と接続補助筒体４２との間に結合部材２１を設けてもよい。これにより、接続補助筒体４２の形状及びサイズが、光ダクトの先端部１０１の形状及びサイズと異なる場合であっても、光ダクトと接続補助筒体とを低い損失で結合することができる。また、第１の実施形態の第２の変形例（図６参照）と同様に、点検口蓋９の開口部１２内に２枚の透光板２６及び２７を設けて気密空間２８を形成してもよい。これにより、浴室ユニット４１の断熱性を高めることができる。
【００５２】
なお、前述の各実施形態においては、放光口を光ダクトの先端部の直下域に配置する例を示したが、本発明はこれに限定されず、放光口の位置は光ダクトの先端部の直下域からある程度ずれていてもよい。  
例えば、前述の第１の実施形態においては、蛇腹管１６（図１参照）は管軸直交方向にもある程度の柔軟性を有するため、放光口は光ダクトの先端部から多少ずれていても、これらを結合することが可能である。但し、この場合、作業者は点検口蓋を斜め上方に持ち上げ、その後、係留フックを係留リングに係合させる必要があるため、光ダクトの先端部はこれらの作業が可能な領域内に配置されている必要がある。
【００５３】
また、前述の第２の実施形態においては、光ダクトの先端部１０１の中心軸とスライド筒体３２（図７参照）の中心軸とが一致していれば、スライド筒体は光ダクトに対してスライド可能となるため、光ダクトの先端部及びスライド筒体の中心軸が延びる方向を、水平面に交差する範囲で垂直方向から傾けて設定すれば、放光口の位置を光ダクトの先端部の直下域からずらすことができる。但し、この場合も、光ダクトの先端部は係留フックの操作などの作業が可能な領域内に配置されている必要がある。  
更に、前述の第３の実施形態においても、接続補助筒体４２（図１０参照）として曲管などを使用すれば、放光口の位置を光ダクトの先端部の直下域からずらすことができる。
【００５４】
また、前述の第１及び第２の実施形態においては、点検口蓋を上位置に固定する固定手段として係留フック及び係留リングを使用する例を示したが、固定手段の具体的な態様はこれに限定されず、例えば、ネジなどを使用してもよい。また、係留フックは点検口蓋に取り付けられていてもよく、係留リングは光ダクトに取り付けられていてもよい。更に、前述の第１及び第２の実施形態においては、ブラケットが点検口蓋に対して螺合されており、着脱可能である例を示したが、ブラケットは点検口蓋に対して固定されていてもよく、一体的に形成されていてもよい。
【００５５】
更にまた、前述の各実施形態においては、ブラケットの色調を乳白色とする例を示したが、ブラケットは光を透過させつつ散乱させる材料により形成されていればよく、色調は乳白色には限定されない。例えば、浴室ユニット内に暖かみのある光を供給するために、ブラケットの色調をオレンジとしてもよく、涼しさを演出するために、ブラケットの色調をブルーとしてもよい。又は、ブラケットを透明材料により形成し、その内面に微小な凹凸を形成してもよい。これにより、光を効果的に拡散させることができる。
【００５６】
更にまた、点検口蓋９は天井４に対して、鎖又はロープによって繋がれていてもよい。これにより、点検口蓋９の落下を防止することができる。更にまた、前述の各実施形態において、点検口蓋９を天井４に対して廻し縁固定ネジにより固定してもよい。これにより、点検口８の密閉性が高まり、浴室ユニット内の蒸気が浴室ユニット上の空間に漏洩することをより確実に防止できる。更にまた、点検口蓋全体が透光性であってもよい。
【００５７】
更にまた、前述の各実施形態においては、蛇腹管、スライド筒体及び接続補助筒体の内面を光反射面とする場合、鏡面には限定されず、光の反射率がある程度高い面であればよく、例えば、光散乱面であってもよく、白色面であってもよい。
【００５８】
更にまた、上述の実施形態においては、光ダクトを放光口に結合する導光部材が蛇腹管などの管状部材によって構成されている例を示したが、本発明はこれに限定されず、導光部材は、光を導波することができ、且つ、放光口に結合されている側の端部（下端）が垂直方向に移動可能であるか、又は、放光口側からの操作により光ダクトに対して着脱可能であればよい。例えば、導光部材は、内面を鏡面加工した柔軟なビニールチューブにより構成されていてもよく、光ファイバの束により構成されていてもよい。又は、下端部を垂直方向に移動可能とするような機械的なメカニズムを持つ構成物であってもよい。この場合は、必ずしも内面の全面が光反射面である必要はなく、屈曲部に適宜ミラー又はプリズムなどが配置されていてもよい。
【００５９】
以上、本発明の実施形態及びその変形例を参照しつつ、本発明の特徴を説明した。しかし、本発明は、これらの実施形態及び変形例に限定されるものではない。すなわち、前述の各実施形態及び変形例を適宜組み合わせたもの、及び、各実施形態及び変形例のいずれかに係る浴室ユニットに対して、当業者が構成要素の追加、省略又は設計変更を加えたものであっても、本発明の要旨を備えたものであれば、本発明の範囲に包含される。
【図面の簡単な説明】
【００６０】
【図１】本発明の第１の実施形態に係る浴室ユニットを例示する模式的断面図である。
【図２】第１の実施形態に係る浴室ユニットの点検口付近を例示する下面図である。
【図３】第１の実施形態に係る浴室ユニットにおける点検口蓋とブラケットとの連結部付近を例示する断面図である。
【図４】第１の実施形態に係る浴室ユニットを例示する模式的断面図であり、点検時の動作を示す。
【図５】第１の実施形態の第１の変形例に係る浴室ユニットの導光部材及びその周辺を例示する模式的断面図である。
【図６】第１の実施形態の第２の変形例に係る浴室ユニットの放光口を例示する模式的断面図である。
【図７】本発明の第２の実施形態に係る浴室ユニットを例示する模式的断面図である。
【図８】本発明の第２の実施形態に係る浴室ユニットを例示する模式的断面図であり、点検時の動作を示す。
【図９】（ａ）及び（ｂ）は、第２の実施形態の変形例に係る浴室ユニットの動作を例示する模式的断面図であり、（ａ）は通常使用時の動作を示し、（ｂ）は点検時の動作を示す。
【図１０】本発明の第３の実施形態に係る浴室ユニットを例示する模式的断面図である。
【図１１】第３の実施形態に係る浴室ユニットにおける光ダクトと接続補助筒体との連結部分を例示する側面図である。
【図１２】本発明の第３の実施形態に係る浴室ユニットを例示する模式的断面図であり、点検時の動作を示す。
【符号の説明】
【００６１】
１  浴室ユニット、２  浴槽、３  洗い場、４  天井、５  排気口、６  排気フィン、７  排気管、８  点検口、８ａ  段差、９  点検口蓋、９ａ  段差、９ｄ  ネジ溝、１０  パッキン、１１  放光口、１２  開口部、１３  ブラケット、１３ａ  ドーム状部分、１３ｂ  円環板状部分、１３ｃ  円筒状部分、１３ｄ  ネジ溝、１４  接続用端部管、１５  パッキン、１６  蛇腹管、１６ａ  下端部、１６ｂ  上端部、１７  係留リング、１８  係留フック、２１  結合部材、２６、２７  透光板、２８  気密空間、３１  浴室ユニット、３２  スライド筒体、３３  弾性シール部材、３６  スライド筒体、３６ａ〜３６ｅ  筒体、４１  浴室ユニット、４２  接続補助筒体、４２ａ  切込、４２ｂ  延出部、４３  ネジ、１０１  光ダクトの先端部
【図１】
2008082076.tif 000003
【図２】
2008082076.tif 000004
【図３】
2008082076.tif 000005
【図４】
2008082076.tif 000006
【図５】
2008082076.tif 000007
【図６】
2008082076.tif 000008
【図７】
2008082076.tif 000009
【図８】
2008082076.tif 000010
【図９】
2008082076.tif 000011
【図１０】
2008082076.tif 000012
【図１１】
2008082076.tif 000013
【図１２】
2008082076.tif 000014